(57)【要約】【課題】  本発明は、籾摺風選装置において、少量のサンプル粃を採取し易くすることを課題とする。【解決手段】  籾摺ロール（２）で籾摺りされた籾と玄米の混合米から籾殻と粃を分離選別する風選部（５）を設け、該風選部（５）は吸引ファン（１３）と、吸引ファン（１３）に連通する吸引風路（１４）と、吸引風路（１４）から落下する粃が通過する粃落下通路（１８）と、サンプル粃が通過する粃受路（２４）と、粃受路（２４）にあって採取したサンプル粃を収容し、機体前側に引き出し可能に構成する粃受筒（２２）と、粃落下通路（１８）または粃受路（２４）の閉鎖及び開放を切り換える切換弁（２３）とを設け、切換弁（２３）が粃落下通路（１８）側を閉鎖しているときには粃受筒（２２）を引き出せない引き出し防止手段（２３ａ）を設けた。【選択図】  図４
2011067761.tif 000002
【特許請求の範囲】
【請求項１】
籾摺ロール（２）で籾摺りされた籾と玄米の混合米から籾殻と粃を分離選別する風選部（５）を設け、該風選部（５）は吸引ファン（１３）と、吸引ファン（１３）に連通する吸引風路（１４）と、吸引風路（１４）から落下する粃が通過する粃落下通路（１８）と、サンプル粃が通過する粃受路（２４）と、粃受路（２４）にあって採取したサンプル粃を収容し、機体前側に引き出し可能に構成する粃受筒（２２）と、粃落下通路（１８）または粃受路（２４）の閉鎖及び開放を切り換える切換弁（２３）とを設け、切換弁（２３）が粃落下通路（１８）側を閉鎖しているときには粃受筒（２２）を引き出せない引き出し防止手段（２３ａ）を設けたことを特徴とする籾摺風選装置。
【請求項２】
引き出し防止手段（２３ａ）は切換弁（２３）の切換動作に連動する構成とし、切換弁（２３）が粃落下通路（１８）側を閉鎖すると、引き出し防止手段（２３ａ）は粃受筒（２２）の引き出しを阻止すべく粃受筒（２２）の前側隣接位置に移動し、切換弁（２３）が粃受路（２４）側を閉鎖すると、引き出し防止手段（２３ａ）は粃受筒（２２）の引き出しを行なうべく、粃受筒（２２）の引き出し軌跡から離れる位置に移動する構成としたことを特徴とする請求項１記載の籾摺風選装置。
【発明の詳細な説明】
【技術分野】
【０００１】
本発明は籾摺した籾と玄米を風選処理する風選装置に関する。
【背景技術】
【０００２】
従来は籾摺りして発生した籾殻と粃とを風選装置で風選別し、籾殻は機外に排出し、粃は再度籾摺部に戻すか、粃取り出し口から機外に取り出していた。
特許文献１では、粃を吸引ファン側に送り機外に排出するか、粃受樋から取り出すかをするために風量を調節する弁を設ける技術について記載されている。
【先行技術文献】
【特許文献】
【０００３】
【特許文献１】特開２００４−１１４０１１号公報
【発明の開示】
【発明が解決しようとする課題】
【０００４】
本発明は少量のサンプル粃を採取し易くすることを課題とする。
【課題を解決するための手段】
【０００５】
この発明はかかる技術的課題を解決するために次のような技術的手段を構成した。すなわち、請求項１の発明では、籾摺ロール（２）で籾摺りされた籾と玄米の混合米から籾殻と粃を分離選別する風選部（５）を設け、該風選部（５）は吸引ファン（１３）と、吸引ファン（１３）に連通する吸引風路（１４）と、吸引風路（１４）から落下する粃が通過する粃落下通路（１８）と、サンプル粃が通過する粃受路（２４）と、粃受路（２４）にあって採取したサンプル粃を収容し、機体前側に引き出し可能に構成する粃受筒（２２）と、粃落下通路（１８）または粃受路（２４）の閉鎖及び開放を切り換える切換弁（２３）とを設け、切換弁（２３）が粃落下通路（１８）側を閉鎖しているときには粃受筒（２２）を引き出せない引き出し防止手段（２３ａ）を設けたことを特徴とする籾摺風選装置とする。
【０００６】
請求項２の発明においては、引き出し防止手段（２３ａ）は切換弁（２３）の切換動作に連動する構成とし、切換弁（２３）が粃落下通路（１８）側を閉鎖すると、引き出し防止手段（２３ａ）は粃受筒（２２）の引き出しを阻止すべく粃受筒（２２）の前側隣接位置に移動し、切換弁（２３）が粃受路（２４）側を閉鎖すると、引き出し防止手段（２３ａ）は粃受筒（２２）の引き出しを行なうべく、粃受筒（２２）の引き出し軌跡から離れる位置に移動する構成としたことを特徴とする請求項１記載の籾摺風選装置とする。
【発明の効果】
【０００７】
請求項１記載の発明においては、切換弁（２３）が粃落下通路（１８）側を閉鎖しているとき、すなわち、粃受路（２４）が開放状態になっているときには、粃受筒（２２）を引き出せないため、粃受筒（２２）がサンプル粃を採取しているときに誤って粃受筒（２２）を引き出して粃を粃受路（２４）内や機外に散乱させることを防止することができる。
【０００８】
請求項２記載の発明においては、切換弁（２３）の動作に連動して粃受筒（２２）の引き出す構成により、粃受筒（２２）の引き出しの誤操作を防止できる。
【図面の簡単な説明】
【０００９】
【図１】正面から見た籾摺選別機の内部を説明する図
【図２】正面から見た籾摺選別機の要部を示す図
【図３】斜めから見た発明の要旨を示す図
【図４】正面から見た発明の要旨を示す図
【図５】平面から見た籾摺選別機の伝動構成を説明する図
【図６】平面から見た籾摺選別機の伝動構成を説明する図
【図７】斜めから見た別実施例の要旨を示す図
【発明を実施するための最良の形態】
【００１０】
本発明の籾摺選別機について、図面に基づいて説明する。
図１に基づいて籾摺選別機の全体構成について説明する。
機体左右一側には籾を貯留する籾ホッパ１を設け、籾ホッパ１の下方には籾摺ロール２を内装する籾摺ケース３設けている。
【００１１】
籾摺ケース３の下方には籾摺されて籾摺ケース３から排出された籾と玄米の混合米を機体左右中央側に移送する横移送樋４を設ける。横移送樋４の移送終端側には混合米から籾殻や粃を選別除去する風選部５を設け、風選部５の機体後方には風選した混合米を揚穀する混合米揚穀機６を設ける。
【００１２】
混合米揚穀機６の混合米投げ出し口側には混合米を一時貯留する混合米タンク７を設け、混合米タンク７の下方で、かつ機体の左右他側には混合米と籾を選別する揺動選別部８を設けている。９は揺動選別部８で選別された玄米を機外に排出する玄米揚穀機で、２９は揺動選別部８で選別された籾を籾ホッパ１に戻す戻し揚穀機で機体前側に設けている。
【００１３】
揺動選別部８について説明する。
揺動選別部８には混合米を籾と玄米とに分離選別する揺動選別板１０を多段に設ける。揺動選別板１０の上方には混合米タンク７から排出された混合米を受けて移送する混合米移送樋１１を設け、混合米移送樋１１の移送終端部には移送された混合米を各揺動選別板に分配して供給する分配ケース１２を設ける。揺動選別板１０と混合米移送樋１１と分配ケース１２は一体に左右方向に傾斜して設けると共に、機体左右方向に揺動する構成である。揺動選別板１０の選別終端側には玄米を仕切って取り出す玄米仕切板２６と籾を仕切って取り出す籾仕切板２７とを設ける。
【００１４】
次に風選部５の構成について以下説明する。
風選部５の上部には風選部５より前後幅が狭く、機体前後方向略中央位置に設ける吸引ファンケース１３ｃと、吸引ファンケース１３ｃの内部に設ける吸引羽根１３ａとからなる吸引ファン１３を設け、吸引ファンケース１３ｃの前後両側面には吸引ファン吸引口１３ｂを設け、吸引ファン吸引口１３ｂは吸引ファンケース１３ｃの下方に形成するは吸引風路１４と連通する構成である。
【００１５】
横移送樋４の移送終端部近傍には混合米流下板１５の流下始端部を設け、混合米流下板１５は機体左右中央側に向かって下がり傾斜状に形成する。混合米流下板１５の流下終端側には混合米を混合米揚穀機６に向かって搬送する混合米ラセン１６を設ける。
【００１６】
吸引風路１４は第一吸引風路１４ａと第二吸引風路１４ｂとから構成する。第一吸引風路１４ａは正面視で上下方向に沿って屈曲して形成すると共に、吸引口ｋを混合米流下板１５の流下始端部の上方に形成する。第二吸引風路１４ｂは第一吸引風路１４ａの途中部に形成する開口部ｍ近傍に吸引口ｇを形成し、第一吸引風路１４ａの吸引終端側と隣接して並行して形成している。
【００１７】
第一吸引風路１４ａの開口部ｍの下方には縦長の粃落下通路１８を設け、粃落下通路１８の下端部に粃樋１９を形成する。粃樋１９には横軸芯に回転する回転軸２０を設け、回転軸２０には第一吸引風路１４ａの前後幅ｗと略同じ前後幅ｖの粃用羽根２１を取り付けている。粃落下通路１８に隣接して粃受路２４設ける。粃受路２４内に粃受筒２２を設け、粃受筒２２はその上部に粃受開口部２２ｂを形成し、機体正面側に向かって引き出して取り外し、次いで、粃受路２４に挿入できる構成としている。
【００１８】
２３は切換弁で、横軸心の回動動作により粃落下通路１８の上端の開口部ｓ又は粃受路２４の上端の開口部ｔの閉鎖を切換できる構成としている。
切換弁２３は機体外側に設ける取っ手２３ａを操作することにより回動操作を行なう。また、粃受筒２２は機体外側に設ける取っ手２２ａにより引き出し操作を行なう構成としている。
【００１９】
粃落下通路１８の開口部ｓを閉鎖する側に切換弁２３を切り換えると、切換弁２３の取っ手２３ａが粃受筒２２の取っ手２２ａの正面引き出し側に重なる位置に移動し、粃受筒２２を引き出せない構成としている。また、切換弁２３を粃受路２４側を閉鎖する側に切り換えると、切換弁２３の取っ手２２ａが粃受筒２２の取っ手２２ａの正面引き出し側から離れることで、粃受筒２２を引き出すことができる構成としている。
【００２０】
なお、図２では理解しやすいように吸引風路１４にはハッチングを施している。
次に籾摺選別作業について以下説明する。
籾摺作業開始時には籾ホッパ１底部のシャッタ弁３０を開くと籾ホッパ１の籾が籾摺ケース３内に流入し、籾摺ロール２で籾摺り作業がなされる。籾摺ロール２を通過して籾殻が取れた玄米と籾摺できなかった籾の混合米が横移送樋４に供給される。横移送樋４で移送された混合米は順次風選部５に供給され、吸引ファン１３の作用で吸引風路１４に籾殻と粃が吸引される。混合米は混合米流下板１５を流下し、混合米ラセン１６で混合米揚穀機６に搬送され、次いで、混合米タンク７に一時貯留され、順次定量ずつ混合米移送樋１１に供給され、分配ケース１２を経て各揺動選別板１０に供給される。
【００２１】
揺動選別板１０で選別され玄米仕切板２６で仕切られた玄米は玄米揚穀機９で機外に排出され、籾仕切板２７で仕切られた籾は戻し揚穀機２９で籾ホッパ１に戻され再度籾摺作業がなされる。
【００２２】
次に風選部５における風選処理について以下説明する。
粃を機外に排出するときには、切換弁２３を粃受路２２側を閉鎖する側に切り換える。横移送樋４から風選部５に供給された混合米から第一吸引風路１４ａの吸引口ｋで吸引された籾殻は、前後両側の吸引ファン吸引口１３ｂからそれぞれ吸引ファンケース１３ｃ内に流入して吸引羽根１３ａにより排塵筒１３ｄから機外に排出される。第一吸引風路１４ａの吸引口ｋから吸引された粃は自重で開口部ｍから粃落下通路１８に落下するが、粃用羽根２１の跳ね上げまたは送風作用により、第一吸引風路１４ａ又は第二吸引風路１４ｂに押し戻され、第一吸引風路１４ａ又は第二吸引風路１４ｂを経て前後両側の吸引ファン吸引口１３ｂからそれぞれ吸引ファンケース１３ｃ内に流入し、籾殻と同様に吸引羽根１３ａにより排塵筒１３ｄから機外に排出される。
【００２３】
粃のサンプルを採取するときは、切換弁２３を粃落下通路１８の開口部ｓを閉鎖する側に切り換える。すると、粃が粃受開口部２２ａから粃受筒２２内に流入する。サンプルの粃を粃受筒２２で採取しているときは、粃受筒２２を機体外に引き出そうとしても切換弁２３の取っ手２３ａが粃受筒２２の引き出し軌跡上に位置するため、粃受筒２２を引き出せない。従って、誤って粃受筒２２を引き出して粃が粃受路２２内や機外に散乱することを防止することができる。
【００２４】
そして、粃のサンプル採取を終了するときには、切換弁２３を粃受路２４側を閉鎖する側に切り換える。すると、切換弁２３の取っ手２３ａが粃受筒２２の引き出し軌跡上から離れる位置に回動することで、サンプルが入った粃受筒２２を機体外側に引き出すことができる。
【００２５】
本実施例では、不要な粃を機外に排出することで、粃を揺動選別板１０で選別したり、再度籾摺ロール２で籾摺りする手間を省き、その分整粒の籾摺、選別する量を増やして籾摺選別能率を向上させ、仕上玄米の品質を向上させる籾摺選別機とするものである。また、粃のサンプルを迅速に取り出し、チェックしやすくしたことを特徴とするものである。
【００２６】
図６と図７は別実施例の粃用羽根２１の構成を示す図である。
図３及び図５の実施例との相違点は粃用羽根の前後幅ｖを吸引ファンケース１３ｃと略同じ幅で吸引ファンケース１３ｃと対向する位置に設けている。また、粃樋１９の前端部と後端部とにそれぞれ開口部１９ａを形成し、混合米ラセン１６に対向する構成である。
【００２７】
この構成によると、吸引された籾殻は吸引風路１４から吸引ファン１３の機体前後両側の吸引ファン吸引口１３ｂに分かれて吸引ファンケース１３ｃ内に流入して機外排出される。
【００２８】
粃は、吸引風路１４における吸引ファンケース１３ｃの前後幅の外側、すなわち、吸引風路１４の前端及び後端部分の内にある粃は吸引ファン１３の吸引作用が強く働き、吸引ファン吸引口１３ｂに直接吸引されやすい。吸引ファンケース１３ｃの前後幅内、すなわち機体中央部分に対向する吸引風路１４は、吸引ファン１３による吸引作用が弱い部分であり、粃は粃落下通路１８に落下する。そして、落下した粃を粃用羽根２１で粃を直接粃用羽根２１で跳ね上げるか、羽根による送風の作用で粃を押し上げるかして吸引風路１４の前端部分及び後端部分に送られ、籾殻と同様に吸引ファン吸引口１３ｂより吸引ファン１３で機外に排出される。
【００２９】
また、比較的大きな粃や一度に多くの量の粃が落下したときは開口部１９ａから混合米ラセン１６に落下し、揺動選別板１０で籾として選別され、再度籾摺ホッパ１に戻され、籾摺作業が行なわれる。
【符号の説明】
【００３０】
２  籾摺ロール
５  風選部
１３  吸引ファン
１３ｂ  吸引ファン吸引口
１３ｃ  吸引ファンケース
１４  吸引風路
１８  粃落下通路
２１  シイナ用羽根
ｖ  シイナ用羽根の前後幅
ｗ  吸引風路の前後幅
【図１】
2011067761.tif 000003
【図２】
2011067761.tif 000004
【図３】
2011067761.tif 000005
【図４】
2011067761.tif 000006
【図５】
2011067761.tif 000007
【図６】
2011067761.tif 000008
【図７】
2011067761.tif 000009